(57)【特許請求の範囲】
【請求項１】
蒸気を発生する蒸気発生部と、
起床時に前記蒸気を外部へ吹き出す第１の吹出範囲が、就寝時に前記蒸気を外部へ吹き出す第２の吹出範囲よりも広くなるように、前記蒸気の吹出範囲を調整する蒸気吹出部と、
を備え、
前記第２の吹出範囲から前記第１の吹出範囲への調整は、前記蒸気吹出部が前記蒸気を吹き出す方向を変化させることで行われる加湿器。
【請求項２】
前記蒸気吹出部は、設定された起床時刻に前記蒸気の吹出範囲を調整する請求項１に記載の加湿器。
【請求項３】
前記蒸気吹出部は、過去の睡眠時間に基づいて決定される起床時刻に前記蒸気の吹出範囲を調整する請求項１に記載の加湿器。
【請求項４】
前記蒸気吹出部は、人を検知する人検知部から出力される信号を基に前記蒸気の吹出範囲を調整する請求項１に記載の加湿器。
【請求項５】
前記蒸気吹出部は、人の生体情報を検知する生体情報検知部から出力される生体情報を基に前記蒸気の吹出範囲を調整する請求項１に記載の加湿器。
【請求項６】
空気中の粒子を捕捉する粒子捕捉部を備える請求項１から請求項５の何れか一項に記載の加湿器。
【請求項７】
人を検知する人検知部を備える空気調和機であって、
請求項１から請求項６の何れか一項に記載の加湿器が動作中に前記人検知部で人が検知されたとき、検知された人の頭部を避けるように送風方向を制御する空気調和機。
【請求項８】
人の睡眠状態を向上させるプログラムを備える請求項７に記載の空気調和機。
【請求項９】
請求項１から請求項６の何れか一項に記載の加湿器と、空気調和機と、人を検知する人検知部と、人の生体情報を検知する生体情報検知部とを備えた寝室環境制御システム。
【発明の詳細な説明】
【技術分野】
【０００１】
本発明は、蒸気を発生する蒸気発生部と蒸気発生部で発生した水蒸気を外部に吹き出す蒸気吹出部とを備えた加湿器、空気調和機および寝室環境制御システムに関する。
【背景技術】
【０００２】
特許文献１には、人体に影響を及ぼす恐れのある粒子を除去すると共に就寝者の頭部へ清浄空気を搬送する空気清浄装置が開示される。特許文献１の空気清浄装置は、就寝者の頭部の周囲に清浄空気を供給することにより、就寝者の顔まわりの空気の清浄性を保っている。
【先行技術文献】
【特許文献】
【０００３】
【特許文献１】特開２０００−１７１０６７号公報
【発明の概要】
【発明が解決しようとする課題】
【０００４】
就寝時に、布団に堆積した粉塵が起床時に飛散し、就寝者がこの粉塵を吸い込むことにより就寝者に影響を及ぼす場合がある。特許文献１に代表される従来の装置はこのような粉塵の発生を抑制することを想定したものではなく、就寝者に影響を及ぼす恐れのある粉塵を抑制できる装置が望まれていた。
【０００５】
本発明は、上記に鑑みてなされたものであって、粉塵による影響を抑制できる加湿器を得ることを目的とする。
【課題を解決するための手段】
【０００６】
上述した課題を解決し、目的を達成するために、本発明の加湿器は、蒸気を発生する蒸気発生部と、起床時に蒸気を外部へ吹き出す第１の吹出範囲が、就寝時に蒸気を外部へ吹き出す第２の吹出範囲よりも広くなるように、蒸気の吹出範囲を調整する蒸気吹出部と、を備える。
【発明の効果】
【０００７】
本発明によれば、粉塵による影響を抑制できるという効果を奏する。
【図面の簡単な説明】
【０００８】
【図１】実施の形態１に係る寝室環境制御システムを示す図
【図２】図１に示す加湿器の内観側面図
【図３】図１に示す加湿器の本体部の斜視図
【図４】図１に示す加湿器のカバーの内観側面図
【図５】図４に示すカバーの外観斜視図
【図６】図１に示す加湿器の動作を説明するための図
【図７】実施の形態２に係る寝室環境制御システムを示す図
【図８】図７に示す室内機の斜視外観図
【図９】図８に示す人検知部の斜視外観図
【図１０】実施の形態２に係る寝室環境制御システムの動作を説明するための第１の図
【図１１】実施の形態２に係る寝室環境制御システムの動作を説明するための第２の図
【図１２】実施の形態２に係る寝室環境制御システムの動作を説明するための第３の図
【図１３】実施の形態３に係る寝室環境制御システムを示す図
【図１４】実施の形態３に係る寝室環境制御システムの動作を説明するための図
【発明を実施するための形態】
【０００９】
以下に、本発明の実施の形態に係る加湿器、空気調和機および寝室環境制御システムを図面に基づいて詳細に説明する。なお、この実施の形態によりこの発明が限定されるものではない。
【００１０】
実施の形態１．
図１は実施の形態１に係る寝室環境制御システムを示す図である。図２は図１に示す加湿器の内観側面図である。図３は図１に示す加湿器の本体部の斜視図である。図４は図１に示す加湿器のカバーの内観側面図である。図５は図４に示すカバーの外観斜視図である。図６は図１に示す加湿器の動作を説明するための図である。
【００１１】
図１から図５を用いて実施の形態１に係る寝室環境制御システム５００−１の構成を説明する。
【００１２】
図１には、寝室環境制御システム５００−１に含まれる加湿器３と、加湿器３の使用者３０が就寝するためのベッドまたは布団といった就寝部２とが示される。図１には加湿器３および就寝部２を上側から見た状態が示される。
【００１３】
加湿器３は、加湿器３で発生する蒸気を使用者３０の顔３０ａの周囲に供給可能な位置に配置される。
【００１４】
加湿器３は、給水タンク４と、給水タンク４から送られた水を貯める貯水部５と、貯水部５の底部に配置される加熱部６と、気流Ｂを発生するファン７と、ファン７を駆動する電動機２６とを備える。
【００１５】
加湿器３は、加熱部６およびファン７の上側に配置され連通路１０と、吹出方向可変部１３と、吹出方向可変部１３に設けられる第１の吹出口８とを備える。
【００１６】
加湿器３は、第１の吹出口８の上側に配置される第２の吹出口９と、少なくとも吹出方向可変部１３の動作を制御する制御部２７と、カバー２３とを備える。
【００１７】
図２に示す点線は、ファン７の回転により発生する気流Ｂを示す。気流Ｂは連通路１０で二手に分岐されている。
【００１８】
吹出方向可変部１３は、連通路１０の上側において連通路１０と連通するように配置される。
【００１９】
吹出方向可変部１３は、連通路１０で分岐された空気の一方に含まれる蒸気Ａを、図６に示す第１の吹出範囲であるエリアＥ、または第２の吹出範囲であるエリアＤに搬送する。以下では、連通路１０で分岐された空気の一方に含まれる蒸気Ａを加湿空気と称する場合がある。
【００２０】
第１の吹出口８は、吹出方向可変部１３の前側に配置され、吹出方向可変部１３に供給された加湿空気を外部に吹き出す。
【００２１】
第２の吹出口９は、第１の吹出口８の上側に配置され、連通路１０で分岐された空気の他方を外部に吹き出す。
【００２２】
カバー２３は、カバーケース２５と連通路１０と第２の吹出口９とを有し、加湿器３の本体部２４の上側から装着される。カバー２３を本体部２４に装着することで図２に示す経路で気流Ｂが流れる。
【００２３】
貯水部５、加熱部６、ファン７、第１の吹出口８、吹出方向可変部１３、電動機２６および制御部２７は、加湿器３の本体部２４を構成する。
【００２４】
給水タンク４、貯水部５および加熱部６は、加湿器３の蒸気発生部１００を構成する。
【００２５】
ファン７、電動機２６、連通路１０、吹出方向可変部１３および第１の吹出口８は、加湿器３の蒸気吹出部２００を構成する。
【００２６】
加湿器３の本体部２４は、本体部２４の正面に配置される設定ボタン１１と、本体部２４の正面に配置される表示部１２とを有する。
【００２７】
図３では１つの設定ボタン１１が例示されるが、設定ボタン１１の数は複数でもよい。設定ボタン１１の種類としては、加湿器３の動作開始または動作停止を行うための電源投入ボタン、または加湿器３の運転時間を使用者３０が設定するための設定ボタンが挙げられる。
【００２８】
表示部１２は、加湿器３の運転状態を表すものである。表示例としては、設定ボタン１１が押されたときの加湿器３の動作状態、または使用者３０が設定した時間に対する残りの運転時間である。
【００２９】
このように構成された加湿器３は、就寝中の使用者３０の顔３０ａの周辺の温度または湿度の少なくとも一方を制御する。この制御は制御部２７により行われる。
【００３０】
制御部２７は、起床時に蒸気を外部へ吹き出すエリアＥが、就寝時に前記蒸気を外部へ吹き出すエリアＤよりも広くなるように、蒸気の吹出範囲を調整するための制御を蒸気吹出部２００に対して行う。
【００３１】
次に加湿器３の動作を説明する。
【００３２】
使用者３０が設定ボタン１１を押すことにより加湿器３の運転が開始され、給水タンク４に貯留された水が貯水部５へ送られ、貯水部５に設けられる加熱部６により水が熱せられて蒸気Ａが発生する。
【００３３】
ファン７の回転により発生した気流Ｂの空気は連通路１０で二手に分岐する。分岐した一方の空気は蒸気Ａと混合され、混合された加湿空気は第１の吹出口８へ送られる。分岐した他方の空気は第２の吹出口９へ送られる。
【００３４】
第１の吹出口８の上側に第２の吹出口９が設けられているため、第２の吹出口９から吹き出される空気は第１の吹出口８から吹き出される加湿空気を抑え込むように作用する。
【００３５】
これにより第１の吹出口８から吹き出された加湿空気は、第１の吹出口８から一定距離離れた位置に向けて効率よく搬送される。
【００３６】
なお加湿器３では、加湿空気を吹き出す方向および範囲の何れかを、使用者３０が任意に設定することが可能である。
【００３７】
その一例を説明する。吹出方向可変部１３は、図示しない電動機およびリンク機構といった駆動機構により、図３に示す水平方向Ｃに首振り動作をするように駆動される。この動作により、加湿空気の搬送先の領域を拡大できる。
【００３８】
なお第２の吹出口９は、第１の吹出口８と連動して第１の吹出口８と同じ方向に動作するように構成してもよい。
【００３９】
この構成により、第１の吹出口８から吹き出される加湿空気が第２の吹出口９から吹き出される空気により抑え込まれる。従って、第２の吹出口９が動作しない場合に比べて、加湿空気の吹き出される範囲が拡大し、加湿空気が第１の吹出口８から一定距離離れた位置まで効率よく搬送される。
【００４０】
また加湿器３は以下のように構成してもよい。
【００４１】
（１）第１の吹出口８および第２の吹出口９のそれぞれの内部に図示しない板状の風向板を設ける。そして風向板を制御部２７による制御で水平方向Ｃに首振り動作させることで、加湿空気の搬送方向および搬送範囲を調整してもよい。
【００４２】
（２）第１の吹出口８の開口面積と第２の吹出口９の開口面積とを、使用者３０の設定に応じて広げる構造としてもよい。この場合、第１の吹出口８の開口部と第２の吹出口９の開口部にはそれぞれ開口面積を可変する可変機構を備え、可変機構が制御部２７により制御されることで実現される。
【００４３】
（３）ファン７の回転数と加熱部６の加熱量とを高めることにより、蒸気Ａの発生量と気流Ｂの風量とを大きくし、加湿空気の搬送量を大きくすることで、加湿空気の搬送範囲を広げる構造としてもよい。
【００４４】
（４）上記（１）から（３）の構成を組み合わせることにより加湿空気の搬送量、搬送速度および搬送方向を変化させ、かつ、加湿空気の搬送範囲を広げる構造としてもよい。
【００４５】
上記（１）から（４）の構成における動作を使用者３０の設定により変更する場合には、設定ボタン１１から出力される設定変更情報が制御部２７に入力され、制御部２７による電気的な制御により上記（１）から（４）の動作が実現される。
【００４６】
制御部２７により上記（１）に示す風向板の向きが変更され、制御部２７により上記（２）に示す第１の吹出口８の開口面積と第２の吹出口９の開口面積とが変更され、制御部２７により上記（３）に示すファン７の回転数と加熱部６の加熱量とが変更される。
【００４７】
次に図６を用いて加湿器３による加湿範囲を説明する。
【００４８】
図６では加湿器３を動作させた状態で使用者３０が就寝中である。このとき加湿器３から吹き出された加湿空気はエリアＤに搬送される。
【００４９】
エリアＤは以下のように定義される。エリアＤは、水平面上において加湿空気が吹き出る方向と直交する方向における幅Ｗ１が、顔３０ａの面積と等しくまたは顔３０ａの面積よりも僅かに狭い領域である。
【００５０】
エリアＤは図示例よりも僅かに広い場合も含み、図６では加湿器３の動作例を説明するため、顔３０ａの面積と等しい領域、または顔３０ａの面積よりも僅かに狭い領域としている。
【００５１】
冬季のように乾燥環境においても使用者３０の顔３０ａの周囲の湿度が適切な湿度に保たれ、顔３０ａの乾燥を抑制でき、就寝時の快適性が向上する。乾燥環境は湿度が湿度３０％以下の環境を示し、適切な湿度は湿度６０％前後を示す。
【００５２】
使用者３０が就寝した就寝時刻から一定時間が経過したとき、加湿器３は、加湿空気をエリアＥに搬送するように加湿範囲を拡大する。
【００５３】
エリアＥは以下のように定義される。エリアＥは、水平面上において加湿空気が吹き出る方向と直交する方向における幅Ｗ２が、幅Ｗ１よりも広い領域である。図６では顔３０ａの面積に就寝部２の一部の面積を加えた領域をエリアＥとしている。
【００５４】
このように加湿範囲を拡大する理由は以下の通りである。
【００５５】
使用者３０が就寝中の寝室内は、寝室へ使用者３０が出入りしないため空気の流れが相対的に小さい。そのため寝室内の空気中に含まれる粒子は、就寝部２の掛布団の上に沈降して堆積する。
【００５６】
特に冬場のように湿度が低い環境では、使用者３０が起床時に掛布団を移動する際、堆積していた粒子が再度飛散し、飛散した粒子を使用者３０が吸引する恐れがある。吸引された粒子は喘息または咳を引き起こすといった影響を及ぼす場合がある。
【００５７】
実施の形態１の加湿器３は、起床前に加湿範囲を拡大する制御を行うことで、就寝部２の掛布団の一部を含む一定範囲が加湿され、使用者３０の顔３０ａの周囲に存在する掛布団に堆積していた粒子が飛散し難い環境、すなわち高湿度の環境を形成することができる。これにより起床時に使用者３０が吸引する恐れのある粒子の量を抑制することができる。
【００５８】
また就寝中から一定時間経過後に加湿範囲を拡大することで加湿器３に用いる水の消費量を抑制できる。
【００５９】
上記の加湿範囲を拡大する時刻は以下のように算出される。使用者３０が加湿器３を動作させる際に設定ボタン１１を押して起床時刻を入力すると、制御部２７は、加湿器３に設定された起床時刻を基に加湿範囲を拡大する時刻を算出する。これにより当該時刻に加湿範囲が拡大する。
【００６０】
加湿範囲を拡大する時刻の算出は以下のように行う。加湿器３内の図示しない記憶部には、使用者３０が入力した時刻により加湿範囲を拡大する時刻を算出するプログラムが格納されている。このプログラムを制御部２７が実行することにより加湿範囲を拡大する時刻が算出される。
【００６１】
加湿範囲の拡大は、加湿範囲を拡大する時刻に達したとき、ファン７へ供給する電力を高めて気流Ｂの風量を増加させることで実現される。また加湿範囲の拡大は、加熱部６の加熱量を高めて蒸気Ａの発生量を増加させることで実現される。また加湿範囲の拡大は、第１の吹出口８の開口面積を広げることで実現される。また加湿範囲の拡大は、吹出方向可変部１３に首振り動作をさせることで実現される。
【００６２】
なお加湿器３は、設定ボタン１１によって使用者３０の性別および年齢を設定する機能を備えてもよい。また加湿器３は、図示しない睡眠開始ボタンが就寝時に押されてから、図示しない睡眠終了ボタンが起床時に押されるまでの時間を記録することにより、日々の睡眠時間を記録する機能を備えてもよい。
【００６３】
予め使用者３０が設定ボタン１１で性別および年齢を入力後に睡眠することを繰り返すことで、使用者３０の睡眠時間データが蓄積される。加湿器３の制御部２７は、蓄積された睡眠時間データ、すなわち過去の睡眠時間を基に、加湿範囲を拡大する時刻を推定して吹出方向可変部１３を制御する。
【００６４】
この制御は、予めプログラムされている年齢および性別によって変化する睡眠時間を参照して行ってもよい。この制御により、使用者３０毎に適切な時刻に加湿範囲が拡大されるため、起床時刻の設定が行われていない場合でも、起床時に使用者３０が吸引する恐れのある粒子の量を抑制することができる。
【００６５】
また実施の形態１の加湿器３は、加湿器３に外気を取り込む通気口に、図６に示す粒子捕捉部２２を設けてもよい。粒子捕捉部２２は外気の粒子を捕捉するためのフィルタである。
【００６６】
粒子捕捉部２２により、ファン７の回転時に加湿器３へ取り込まれる空気中の粒子が捕捉される。そのため、顔３０ａの周辺には粒子を除去した清浄空気が搬送され、より一層の快適な就寝環境を提供できる。
【００６７】
なお加湿器３の構成は実施の形態１の例に限定されず、例えば吹出方向可変部１３が加熱部６の上側に配置されずに、吹出方向可変部１３の加熱部６の側方に配置されているとのでもよい。また加湿器３は、第１の吹出口８と第２の吹出口９の双方を備えなくとも、第１の吹出口８のみ備える構成でもよい。このように構成した場合でも、顔３０ａの周りのエリアＤに加湿空気が搬送され、また吹出方向可変部１３が制御されることにより加湿空気をエリアＥに搬送するように加湿範囲を拡大することが可能である。
【００６８】
実施の形態２．
図７は実施の形態２に係る寝室環境制御システムを示す図である。図８は図７に示す室内機の斜視外観図である。図９は図８に示す人検知部の斜視外観図である。
【００６９】
実施の形態１との相違点は、実施の形態２の寝室環境制御システム５００−２は、加湿器３に加えて、空気調和機１５および操作部２０を有することである。図７には加湿器３、就寝部２および空気調和機１５が示される。
【００７０】
加湿器３と空気調和機１５は、図示しない配線で接続され、相互間で信号の授受を行うことができる。
【００７１】
加湿器３は、空気調和機１５から送信される信号を受信する図示しない受信部を有する。
【００７２】
空気調和機１５は、加湿器３および操作部２０から送信される信号を受信する図示しない受信部と、受信した信号を基に使用者３０が望む空調動作を制御する図示しない制御部とを有する。
【００７３】
操作部２０は、空気調和機１５に付属するリモートコントローラでもよいし、携帯電話またはスマートフォンを一例とする電気機器でもよい。操作部２０には、空気調和機１５の動作を制御するための情報が予め登録されている。
【００７４】
空気調和機１５は、就寝空間の温度および湿度を調整するために用いられる。図８には空気調和機１５を構成する室内機の外観が示される。
【００７５】
空気調和機１５は、使用者３０が操作部２０を操作することにより、目標温度が設定されると、空気調和機１５の内部に設けられた温度検知部が就寝空間の温度をモニタする。空気調和機１５は、温度検知部で検出された温度情報を用いて冷房運転、送風運転、除湿運転または暖房運転を行う。これにより就寝空間の温度および湿度が調整される。以下では就寝空間の温度および湿度を単に室内温湿度と称する場合がある。
【００７６】
空気調和機１５の正面には風向板１６と人検知部１７とが設けられている。
【００７７】
風向板１６は、室内温湿度を調整するために送風される風Ｑの向き制御する。風向板１６が２つ以上設けられている場合、それぞれの風向板１６は独立で制御可能である。
【００７８】
空気調和機１５は、操作部２０から出力された制御信号と、空気調和機１５内の図示しない温度検知部から出力される温度検知信号により、風Ｑの向きおよび風量を制御する。
【００７９】
人検知部１７は、サーモパイル方式を用いた人検出手段である。人検知部１７は、物体が放射する赤外線量を、異種の金属を接合して構成された受光部で受信する構成である。人検知部１７は、ゼーベック効果による異種金属間の温度差による起電力を演算回路にて処理することで、測定領域の表面温度を計測する。
【００８０】
図９に示すように人検知部１７は、駆動部１８と、駆動部１８の正面側に配置されるセンサ部１９とを有する。
【００８１】
駆動部１８は、図示しない駆動機構を内部に有し、駆動機構により横方向Ｓへ駆動する。
【００８２】
センサ部１９は赤外線量を検出する複数の受光部で構成される。そのためセンサ部１９が駆動部１８の正面に設置されている場合でも、室内の複数個所の表面温度検知ができる。
【００８３】
駆動部１８が横方向Ｓへ駆動することにより、センサ部１９を室内全体に向けることができる。これにより室内の赤外線量検知領域が拡大し、広範囲にわたって室内温度管理が可能になる。
【００８４】
センサ部１９の受光部の外側には、赤外線通過領域の光を通過するフィルタが設けられている。図９では当該フィルタの図示を省略している。当該フィルタは、可視光を遮断することで、太陽光または浴室の水分による測定温度への影響を低減している。
【００８５】
人検知部１７の構成はこれらに限定されず、人検知部１７は以下のように構成してもよい。
【００８６】
（１）人検知部１７は、スキャニングにより複数の熱画像を取得して、複数の熱画像と背景の温度との温度差を基に人を検知する構成でもよい。この場合、画素数が多いほど検出精度が向上し、人から空気調和機１５までの距離を明確に把握できる。画素数が７００画素以上であれば室内の人の位置を精度よく検知できる。肌露出位置により、人の部位を検出することも可能である。
【００８７】
（２）人検知部１７は肌の露出部と非露出部とを判別して人を検知する構成でもよい。
【００８８】
（３）人検知部１７は人の動きを検知するモーションセンサでもよい。
【００８９】
（４）人検知部１７は体感温度を検知する体感温度センサでもよい。体感温度センサの場合、肌が露出されている人ほど容易に検知できる。
【００９０】
また人検知部１７は、空気調和機１５以外の機器に配置されるものでもよい。一例としては、スマートフォンおよび携帯電話を一例とする電子機器に搭載されるカメラである。
【００９１】
人検知部１７によって、就寝中の使用者３０と空気調和機１５との位置関係を検知でき、また就寝中の使用者３０が寝返りをうった際の体動も検知できる。
【００９２】
次に実施の形態２の動作を説明する。
【００９３】
図１０は実施の形態２に係る寝室環境制御システムの動作を説明するための第１の図である。図１１は実施の形態２に係る寝室環境制御システムの動作を説明するための第２の図である。図１２は実施の形態２に係る寝室環境制御システムの動作を説明するための第３の図である。
【００９４】
使用者３０が操作部２０を操作することにより加湿器３および空気調和機１５の設定が終了し、その後、使用者３０が就寝時に加湿器３を動作させることにより、顔３０ａの周りのエリアＤに加湿空気が搬送される。
【００９５】
この際、空気調和機１５に設けられた人検知部１７は、就寝中の使用者３０と空気調和機１５との位置関係を検知し、就寝中の使用者３０の体動を検知し、就寝中の使用者３０の体温を検知する。
【００９６】
睡眠時の傾向として、就寝者の体動の大きさおよび回数は、睡眠時点から覚醒時点に近づくにつれて増加する。そのため、就寝者の体動を人検知センサでモニタすることにより、覚醒時点すなわち起床時点を推定できる。
【００９７】
人検知部１７による就寝中の使用者３０の体動の大きさおよび回数の何れかが一定の値を超えたとき、空気調和機１５内の制御部は加湿器３を制御する制御信号を加湿器３へ送信する。
【００９８】
空気調和機１５から送信された制御信号を受信した加湿器３は、加湿空気をエリアＥに搬送するように加湿範囲を拡大する。
【００９９】
この加湿範囲を拡大する動作時に、室内温度の調整も同時に行う場合、空気調和機１５から吹き出される風の向きが加湿器３から吹き出される加湿空気の流れを妨げないように制御される。空気調和機１５は、検知された人の頭部を避けるように送風方向を制御する。
【０１００】
この制御例は以下の通りである。
【０１０１】
（１）図１０において、加湿器３が運転中でないとき、加湿器３から送信される停止状態を示す信号を受信した空気調和機１５は、空気調和機１５から吹き出す風の向きをＦ方向に向ける。Ｆ方向は、就寝中の使用者３０を上側から見たときに使用者３０の顔３０ａの位置である。
【０１０２】
（２）図１０において、加湿器３が運転中のとき、加湿器３から送信される動作状態を示す信号を受信した空気調和機１５は、空気調和機１５から吹き出す風の向きをＧ方向に向ける。Ｇ方向は、就寝中の使用者３０を上側から見たときに使用者３０の顔３０ａから上側に一定距離離れた位置である。
【０１０３】
（３）図１１において、加湿器３が運転中でないとき、加湿器３から送信される停止状態を示す信号を受信した空気調和機１５は、空気調和機１５から吹き出す風の向きをＨ方向に向ける。Ｈ方向は、就寝中の使用者３０を横側から見たときに使用者３０の顔３０ａの位置である。
【０１０４】
（４）図１１において、加湿器３が運転中のとき、加湿器３から送信される動作状態を示す信号を受信した空気調和機１５は、空気調和機１５から吹き出す風の向きをＩ方向に向ける。Ｉ方向は、就寝中の使用者３０を横側から見たときに使用者３０の顔３０ａから上側に一定距離離れた位置である。
【０１０５】
これらの制御により、就寝中の使用者３０に搬送される加湿空気の流れの乱れが抑制できる。また就寝中に就寝部２へ堆積した粒子が、空気調和機１５から吹き出される風の気流によって飛散することを抑制でき、就寝中の使用者３０が吸引する恐れのある粒子の量を抑制することができる。
【０１０６】
また空気調和機１５における室内温湿度の制御においては、図１２のように使用者３０の睡眠の段階によって温度を変化させてもよい。
【０１０７】
図１２の横軸は睡眠時間Ｔを表す。睡眠時間Ｔは、就寝時から起床時までの大まかな時間を示す。縦軸は就寝中の使用者３０の体温℃である。
【０１０８】
就寝開始時点から一定時間が経過するまでの間、使用者３０の体温は、徐々に低下する。一定時間Ｔ１が経過後の体温は一定に保たれ、起床段階で再び体温は徐々に上昇する。
【０１０９】
就寝中の使用者３０の身体は、就寝初めの段階では体内の熱を放散することで身体の機能を低下させる。
【０１１０】
空気調和機１５は、就寝初めの段階では体内の熱の放散を促すことで睡眠を促進させるため、寝室の温度を低下させるように空調制御を行う。
【０１１１】
また空気調和機１５は、起床段階に移行するに従い身体機能を向上させて起床時の目覚めを良くするため、室内温度を高めるように空調制御を行う。
【０１１２】
このような空調制御は、人検知部１７で検知された情報を基に行われる。なお空気調和機１５は、寝開始時点から一定時間が経過するまでの間、室内温度を一定値低下させるように空調制御を行う。
【０１１３】
その後、就寝中の使用者３０の体動の大きさおよび回数の何れかが一定の値以下になったとき、空気調和機１５は、使用者３０が睡眠中であると判定して、室内温度を低下させる空調制御を中止する。これにより使用者３０の冷え過ぎを抑制する。
【０１１４】
そして、就寝中の使用者３０の体動の大きさおよび回数の何れかが一定の値を超えたとき、室内温度を一定値高めるように空調制御を行う。
【０１１５】
このように実施の形態２の寝室環境制御システム５００−２によれば、就寝中の使用者３０の体動の大きさおよび回数の何れかを検知することで、使用者３０が睡眠中であるが覚醒中であるかという睡眠状態を推定する。そして寝室環境制御システム５００−２では、推定した睡眠状態に適した寝室環境制御、すなわち空調制御および加湿範囲制御が行われる。
【０１１６】
また就寝中の使用者３０が異なる場合でも、それぞれの使用者３０に適した寝室環境制御を行うことができる。
【０１１７】
なお就寝中の使用者の睡眠状態の判断は、人の睡眠状態を向上させるプログラムを用いて空気調和機１５において行ってもよい。
【０１１８】
また就寝中の使用者の睡眠状態の判断は以下のように行ってもよい。操作部２０または図示しないサーバーといった電子機器へ空気調和機１５で検出された人の検知信号を送信し、当該電子機器において就寝中の使用者３０の体動の大きさおよび回数の何れかが一定の値を超えたか否かを判定させて、空気調和機１５はこの判定結果を基に睡眠状態の判断を行う。
【０１１９】
実施の形態３．
図１３は実施の形態３に係る寝室環境制御システムを示す図である。実施の形態１との相違点は、実施の形態３の寝室環境制御システム５００−３は、加湿器３に加えて、空気調和機１５、操作部２０および生体情報検知部２１を有することである。
【０１２０】
加湿器３、空気調和機１５、生体情報検知部２１は図示しない配線で接続され、相互間で信号の授受を行うことができる。
【０１２１】
加湿器３は空気調和機１５から送信される信号を受信する図示しない受信部を有する。空気調和機１５は、生体情報検知部２１、加湿器３および操作部２０から送信される信号を受信する図示しない受信部と、受信した信号を基に使用者３０が望む空調動作を制御する図示しない制御部とを有する。
【０１２２】
生体情報検知部２１は、就寝部２の内部に配置され、就寝中の使用者３０の体動、心拍、および脳波を生体情報として検知し、検知された生体情報を出力する。
【０１２３】
体動および心拍は、生体情報検知部２１に設けられる圧力センサで検知できる。
【０１２４】
心拍情報を特定の解析プログラムで分析することにより、リラックス状態を示す副交感神経の状態を抽出し、抽出した状態を睡眠状態の心拍数の指標とすることができる。
【０１２５】
脳波は、就寝部２に設けられる図示しない枕に内蔵される脳波検知部で検知できる。
【０１２６】
脳波検知部は、就寝中の使用者３０のα波およびδ波といった脳波を検知し、検知した脳波を睡眠状態を検知する指標とする。
【０１２７】
次に実施の形態３の動作を説明する。
【０１２８】
図１４は実施の形態３に係る寝室環境制御システムの動作を説明するための図である。
【０１２９】
使用者３０が操作部２０を操作することにより加湿器３および空気調和機１５の設定が終了し、その後、使用者３０が就寝時に加湿器３を動作させることにより、顔３０ａの周りのエリアＤに加湿空気が搬送される。
【０１３０】
この際、空気調和機１５に設けられた人検知部１７は、就寝中の使用者３０と空気調和機１５との位置関係を検知し、就寝中の使用者３０の体動を検知し、就寝中の使用者３０の体温を検知する。また生体情報検知部２１により、就寝中の使用者３０の体動、心拍、脳波が検知される。
【０１３１】
空気調和機１５内の制御部は、人検知部１７および生体情報検知部２１から送信される信号を基に就寝中の使用者３０の状態を判別する。判別結果を基に、加湿器３では睡眠状態に合わせた加湿範囲制御が行われ、空気調和機１５では睡眠状態に合わせた空調制御が行われる。加湿範囲制御および空調制御は実施の形態２と同様であるため、その説明は割愛する。
【０１３２】
実施の形態３のように睡眠状態を検知する複数の検知手段を備えることにより、就寝中の使用者３０の体全身が布団に覆われている状態であっても使用者３０の睡眠状態を検知して適切な加湿範囲制御が可能である。
【０１３３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１３４】
２  就寝部、３  加湿器、４  給水タンク、５  貯水部、６  加熱部、７  ファン、８  第１の吹出口、９  第２の吹出口、１０  連通路、１１  設定ボタン、１２  表示部、１３  吹出方向可変部、１５  空気調和機、１６  風向板、１７  人検知部、１８  駆動部、１９  センサ部、２０  操作部、２１  生体情報検知部、２２  粒子捕捉部、２３  カバー、２４  本体部、２５  カバーケース、２６  電動機、２７  制御部、３０  使用者、３０ａ  顔、１００  蒸気発生部、２００  蒸気吹出部、５００−１，５００−２，５００−３  寝室環境制御システム。
【図１】
0006761242.tif 000002
【図２】
0006761242.tif 000003
【図３】
0006761242.tif 000004
【図４】
0006761242.tif 000005
【図５】
0006761242.tif 000006
【図６】
0006761242.tif 000007
【図７】
0006761242.tif 000008
【図８】
0006761242.tif 000009
【図９】
0006761242.tif 000010
【図１０】
0006761242.tif 000011
【図１１】
0006761242.tif 000012
【図１２】
0006761242.tif 000013
【図１３】
0006761242.tif 000014
【図１４】
0006761242.tif 000015